【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
移動可能に設けられ、トナー像を担持するベルト部材と、
前記ベルト部材にトナー像を形成するトナー像形成ユニットと、
金属軸と、前記金属軸の周りに形成された弾性層と、を有し、前記ベルト部材の外表面に接触して、前記ベルト部材に形成されたトナー像を記録材へ転写する転写ローラと、
前記転写ローラの弾性層の外周面と当接する導電性ローラと、
前記ベルト部材と前記導電性ローラとの間において前記転写ローラの軸を通って形成された電気経路を介して前記転写ローラに転写電流を供給する電源部と、を備え、
前記導電性ローラは、画像形成領域に対応する位置に設けられた大径部と、前記導電性ローラの両端部に配置され、軸支される前記大径部よりも小径の小径部と、を有し、
前記ベルト部材の移動方向と交差する幅方向に関して、前記導電性ローラの前記大径部の幅は、最大画像形成領域の幅以上で、且つ、前記転写ローラの前記弾性層の幅よりも小さい、
ことを特徴とする画像形成装置。
【請求項２】
前記幅方向に関して、前記導電性ローラの前記大径部の幅は、最大サイズの記録材の幅よりも短い、
ことを特徴とする請求項１に記載の画像形成装置。
【請求項３】
前記導電性ローラは、前記幅方向の中央が前記転写ローラの前記幅方向の中央に対応するように配置される、
ことを特徴とする請求項１又は２に記載の画像形成装置。
【請求項４】
前記幅方向に関して、前記転写ローラの前記弾性層の幅は、前記ベルト部材の幅よりも小さい、
ことを特徴とする請求項１乃至３のいずれか１項に記載の画像形成装置。
【請求項５】
前記ベルト部材は、感光ドラムから一次転写されたトナー像を担持する中間転写ベルトであり、
前記転写ローラは、前記中間転写ベルトから前記記録材にトナー像を二次転写する二次転写ローラである、
ことを特徴とする請求項１乃至４のいずれか１項に記載の画像形成装置。
【請求項６】
前記転写ローラは、第１の転写ローラであり、
金属軸と、前記金属軸の周りに設けられた弾性層と、を備え、前記ベルト部材を挟んで前記第１の転写ローラと対向する位置に設けられた第２の転写ローラを備え、
前記電源部は、前記第２の転写ローラにトナーの帯電極性と同極性の電圧を印加して、前記第２の転写ローラに電流を流す第一電源と、前記導電性ローラに前記第一電源と反対極性の電圧を印加する第二電源と、を備え、
前記二次転写ローラの前記金属軸を電気的に接地電位に接続する、
ことを特徴とする請求項５に記載の画像形成装置。
【請求項７】
前記転写ローラは、第１の転写ローラであり、
金属軸と、前記金属軸の周りに設けられた弾性層と、を備え、前記ベルト部材を挟んで前記第１の転写ローラと対向する位置に設けられた第２の転写ローラと、
前記第２の転写ローラを電気的に接地電位に接続する導電路と、を備え、
前記電源部は、前記導電性ローラにトナーの帯電極性と反対極性の電圧を印加して、前記第１の転写ローラの軸を介して前記第２の転写ローラに転写電流を流す、
ことを特徴とする請求項１に記載の画像形成装置。
【請求項８】
移動可能に設けられ、トナー像を担持するベルト部材と、
前記ベルト部材にトナー像を形成するトナー像形成ユニットと、
金属軸と、前記金属軸の外周に形成された弾性層とを有し、前記ベルト部材の外表面に接触して、前記ベルト部材に形成されたトナー像を記録材へ転写する転写ローラと、
前記転写ローラの外周と当接する導電性ローラと、
前記ベルト部材と前記導電性ローラとの間において前記転写ローラの軸を通って形成された電気経路を介して前記転写ローラに転写電流を供給する電源部と、を備え、
前記導電性ローラは、画像形成領域に対応する位置に設けられた大径部と、前記導電性ローラの両端部に配置され、軸支される前記大径部よりも小径の小径部と、を有し、
前記ベルト部材の移動方向と交差する幅方向に関して、前記導電性ローラの大径部の幅は、最大画像形成領域の幅以上で且つ記録材の最大サイズ幅よりも短い、
ことを特徴とする画像形成装置。
【請求項９】
前記幅方向に関して、前記導電性ローラの前記大径部の両端は、最大サイズの記録材が通過する領域の両端部よりも内側に位置する、
ことを特徴とする請求項８に記載の画像形成装置。
【請求項１０】
前記転写ローラの弾性層の両端部は、前記導電性ローラの大径部に接触する、
ことを特徴とする請求項８又は９に記載の画像形成装置。
【請求項１１】
前記転写ローラの弾性層は、イオン導電性の導電剤が含有されている、
ことを特徴とする請求項８又は９に記載の画像形成装置。
【請求項１２】
移動可能に設けられ、トナー像を担持するベルト部材と、
前記ベルト部材にトナー像を形成するトナー像形成ユニットと、
金属軸と、前記金属軸の周りに形成された弾性層と、を有し、前記ベルト部材の外表面に接触して、前記ベルト部材に形成されたトナー像を記録材へ転写する第１の転写ローラと、
金属軸と、前記金属軸の周りに設けられた弾性層と、を備え、前記ベルト部材を挟んで前記第１の転写ローラと対向する位置に設けられた第２の転写ローラと、
前記第１の転写ローラの外周面と当接する導電性ローラと、
前記第２の転写ローラと前記導電性ローラとの間において前記第１の転写ローラの軸を通って形成された電気経路を介して前記第２の転写ローラに転写電流を供給する電源部と、を備え、
前記導電性ローラは、画像形成領域に対応する位置に設けられた大径部と、前記導電性ローラの両端部に配置され、軸支される前記大径部よりも小径の小径部と、を有し、
前記ベルト部材の移動方向と交差する幅方向に関して、前記導電性ローラの大径部の幅は、最大画像形成領域の幅以上であり、かつ、前記第１の転写ローラの弾性層が設けられている幅、もしくは、前記第２の転写ローラの弾性層が設けられている幅、もしくは前記ベルト部材のいずれか一つよりも短い、
ことを特徴とする画像形成装置。
【請求項１３】
前記導電性ローラの大径部の幅は、前記第１の転写ローラの弾性層の幅よりも大きい、
ことを特徴とする請求項１２に記載の画像形成装置。
【請求項１４】
前記第１の転写ローラの弾性層は、イオン導電性の導電剤が含有され、前記第２の転写ローラの弾性層は、カーボンが含有されている、
ことを特徴とする請求項１２又は１３に記載の画像形成装置。
【請求項１５】
前記電源部は、前記導電性ローラにトナーの帯電極性と反対極性の電圧を印加して、前記第１の転写ローラの軸を介して前記第２の転写ローラに電流を流す、
ことを特徴とする請求項１２に記載の画像形成装置。
【請求項１６】
前記導電性ローラの前記大径部の幅は、前記第１の転写ローラの弾性層の幅よりも小さい、
ことを特徴とする請求項１２に記載の画像形成装置。
【請求項１７】
移動可能に設けられ、トナー像を担持するベルト部材と、
前記ベルト部材にトナー像を形成するトナー像形成ユニットと、
金属軸と、前記金属軸の周りに形成された弾性層と、を有し、前記ベルト部材の外表面に接触し、前記ベルト部材に形成されたトナー像を記録材へ転写する転写ローラと、
前記転写ローラの弾性層の外周面と当接する導電性ローラと、
前記ベルト部材と前記導電性ローラとの間において前記転写ローラの軸を通って形成された電気経路を介して前記転写ローラに転写電流を供給する電源部と、を備え、
前記導電性ローラは、画像形成領域に対応する位置に設けられた大径部と、前記導電性ローラの両端部に配置され、軸支される前記大径部よりも小径の小径部と、を有し、
前記ベルト部材の移動方向と交差する幅方向に関して、前記導電性ローラの前記大径部の幅は、最大画像形成領域の幅以上で、且つ、前記ベルト部材の幅よりも小さい、
ことを特徴とする画像形成装置。
【請求項１８】
前記導電性ローラの前記大径部の幅は、前記転写ローラの弾性層の幅よりも大きい、
ことを特徴とする請求項１７に記載の画像形成装置。
【請求項１９】
前記導電性ローラの前記大径部の幅は、前記転写ローラの弾性層の幅よりも小さい、
ことを特徴とする請求項１７に記載の画像形成装置。
【手続補正２】
【補正対象書類名】明細書
【補正対象項目名】０００７
【補正方法】変更
【補正の内容】
【０００７】
本発明の一態様は、移動可能に設けられ、トナー像を担持するベルト部材と、前記ベルト部材にトナー像を形成するトナー像形成ユニットと、金属軸と、前記金属軸の周りに形成された弾性層と、を有し、前記ベルト部材の外表面に接触して、前記ベルト部材に形成されたトナー像を記録材へ転写する転写ローラと、前記転写ローラの弾性層の外周面と当接する導電性ローラと、前記ベルト部材と前記導電性ローラとの間において前記転写ローラの軸を通って形成された電気経路を介して前記転写ローラに転写電流を供給する電源部と、を備え、前記導電性ローラは、画像形成領域に対応する位置に設けられた大径部と、前記導電性ローラの両端部に配置され、軸支される前記大径部よりも小径の小径部と、を有し、前記ベルト部材の移動方向と交差する幅方向に関して、前記導電性ローラの前記大径部の幅は、最大画像形成領域の幅以上で、且つ、前記転写ローラの前記弾性層の幅よりも小さい、ことを特徴とする画像形成装置である。
【手続補正３】
【補正対象書類名】明細書
【補正対象項目名】０００８
【補正方法】変更
【補正の内容】
【０００８】
本発明の一態様は、移動可能に設けられ、トナー像を担持するベルト部材と、前記ベルト部材にトナー像を形成するトナー像形成ユニットと、金属軸と、前記金属軸の外周に形成された弾性層とを有し、前記ベルト部材の外表面に接触して、前記ベルト部材に形成されたトナー像を記録材へ転写する転写ローラと、前記転写ローラの外周と当接する導電性ローラと、前記ベルト部材と前記導電性ローラとの間において前記転写ローラの軸を通って形成された電気経路を介して前記転写ローラに転写電流を供給する電源部と、を備え、前記導電性ローラは、画像形成領域に対応する位置に設けられた大径部と、前記導電性ローラの両端部に配置され、軸支される前記大径部よりも小径の小径部と、を有し、前記ベルト部材の移動方向と交差する幅方向に関して、前記導電性ローラの大径部の幅は、最大画像形成領域の幅以上で且つ記録材の最大サイズ幅よりも短い、ことを特徴とする画像形成装置である。
【手続補正４】
【補正対象書類名】明細書
【補正対象項目名】０００９
【補正方法】変更
【補正の内容】
【０００９】
本発明の一態様は、移動可能に設けられ、トナー像を担持するベルト部材と、前記ベルト部材にトナー像を形成するトナー像形成ユニットと、金属軸と、前記金属軸の周りに形成された弾性層と、を有し、前記ベルト部材の外表面に接触して、前記ベルト部材に形成されたトナー像を記録材へ転写する第１の転写ローラと、金属軸と、前記金属軸の周りに設けられた弾性層と、を備え、前記ベルト部材を挟んで前記第１の転写ローラと対向する位置に設けられた第２の転写ローラと、前記第１の転写ローラの外周面と当接する導電性ローラと、前記第２の転写ローラと前記導電性ローラとの間において前記第１の転写ローラの軸を通って形成された電気経路を介して前記第２の転写ローラに転写電流を供給する電源部と、を備え、前記導電性ローラは、画像形成領域に対応する位置に設けられた大径部と、前記導電性ローラの両端部に配置され、軸支される前記大径部よりも小径の小径部と、を有し、前記ベルト部材の移動方向と交差する幅方向に関して、前記導電性ローラの大径部の幅は、最大画像形成領域の幅以上であり、かつ、前記第１の転写ローラの弾性層が設けられている幅、もしくは、前記第２の転写ローラの弾性層が設けられている幅、もしくは前記ベルト部材のいずれか一つよりも短い、ことを特徴とする画像形成装置である。
本発明の一態様は、移動可能に設けられ、トナー像を担持するベルト部材と、前記ベルト部材にトナー像を形成するトナー像形成ユニットと、金属軸と、前記金属軸の周りに形成された弾性層と、を有し、前記ベルト部材の外表面に接触し、前記ベルト部材に形成されたトナー像を記録材へ転写する転写ローラと、前記転写ローラの弾性層の外周面と当接する導電性ローラと、前記ベルト部材と前記導電性ローラとの間において前記転写ローラの軸を通って形成された電気経路を介して前記転写ローラに転写電流を供給する電源部と、を備え、前記導電性ローラは、画像形成領域に対応する位置に設けられた大径部と、前記導電性ローラの両端部に配置され、軸支される前記大径部よりも小径の小径部と、を有し、前記ベルト部材の移動方向と交差する幅方向に関して、前記導電性ローラの前記大径部の幅は、最大画像形成領域の幅以上で、且つ、前記ベルト部材の幅よりも小さい、ことを特徴とする画像形成装置である。